(57)【要約】【課題】装置外観を構成する部材のコストアップを抑制する。【解決手段】記録装置は、被記録媒体に記録を行う記録手段を備える記録機構部と、前記記録機構部の上部において前記記録機構部に対し回動することにより前記記録機構部の上部を開閉する、原稿を読み取る読み取り機構部と、を備え、前記読み取り機構部は、原稿を載置する原稿台を備えた本体部と、前記原稿台を開閉する開閉体と、を備え、前記読み取り機構部が閉じた状態において、少なくとも前記本体部は前記記録機構部の筐体の内側に入り込む。前記筐体の側面には切り欠き部が形成され、前記切り欠き部を介して前記本体部の側面の一部が露呈する。前記切り欠き部を介して露呈する前記本体部の側面の一部は凹状に形成されている。【選択図】図２
2020175675.tif 000002
【特許請求の範囲】
【請求項１】
被記録媒体に記録を行う記録手段を備える記録機構部と、
前記記録機構部の上部において前記記録機構部に対し回動することにより前記記録機構部の上部を開閉する、原稿を読み取る読み取り機構部と、を備え、
前記読み取り機構部は、原稿を載置する原稿台を備えた本体部と、
前記原稿台を開閉する開閉体と、を備え、
前記読み取り機構部が閉じた状態において、少なくとも前記本体部は前記記録機構部の筐体の内側に入り込む、ことを特徴とする記録装置。
【請求項２】
請求項１に記載の記録装置において、前記筐体の側面には切り欠き部が形成され、
前記切り欠き部を介して前記本体部の側面の一部が露呈する、ことを特徴とする記録装置。
【請求項３】
請求項２に記載の記録装置において、前記切り欠き部を介して露呈する前記本体部の側面の一部は凹状に形成されている、ことを特徴とする記録装置。
【請求項４】
請求項２または請求項３に記載の記録装置において、前記読み取り機構部の回動軸は、装置背面寄りに設けられ、
前記切り欠き部は、前記記録機構部の両側面において、装置前面寄りに形成されている、ことを特徴とする記録装置。
【請求項５】
被記録媒体に記録を行う記録手段と、
装置前面側に設けられた、チルト可能な操作部と、を備え、
前記操作部は、装置の横幅に相当する幅を有する、ことを特徴とする記録装置。
【請求項６】
請求項５に記載の記録装置において、装置前面側にインターフェース部を備え、
前記操作部を閉じることにより前記操作部が前記インターフェース部を覆い、前記操作部を開くことにより前記インターフェース部が露呈する、ことを特徴とする記録装置。
【請求項７】
被記録媒体に記録を行う記録手段と、
装置前面側から引き出し可能な、被記録媒体を収容するカセットと、を備え、
前記カセットは、装置前面の少なくとも一部を開閉する前面カバーを備え、
前記前面カバーは、装置の横幅に相当する幅を有する、ことを特徴とする記録装置。
【請求項８】
請求項７に記載の記録装置において、装置上部の背面側に、被記録媒体をセットするセット口と、
前記セット口を覆う上面カバーと、を備え、
前記上面カバーは、装置の横幅に相当する幅を有する、ことを特徴とする記録装置。
【請求項９】
請求項８に記載の記録装置において、装置上部に、原稿を読み取る読み取り機構部を備え、
前記読み取り機構部は、原稿を載置する原稿台を開閉する原稿台カバーを備え、
前記原稿台カバーの上面と前記上面カバーの上面とが面一に形成される、ことを特徴とする記録装置。
【請求項１０】
請求項７から請求項９のいずれか一項に記載の記録装置において、装置前面側にインターフェース部を備え、
前記前面カバーを閉じることにより前記前面カバーが前記インターフェース部を覆い、前記前面カバーを開くことにより前記インターフェース部が露呈する、ことを特徴とする記録装置。
【発明の詳細な説明】
【技術分野】
【０００１】
本発明は、被記録媒体に記録を行う記録装置に関する。
【背景技術】
【０００２】
記録装置の一例としてのインクジェットプリンターは、被記録媒体の一例としての用紙に記録を行う記録機構部を、樹脂材料で形成された筐体で覆う構成が採用されている（特許文献１、２参照）。
【先行技術文献】
【特許文献】
【０００３】
【特許文献１】特開平１１−５８８８４号公報
【特許文献２】特開２０１５−１２３６０６号公報
【特許文献３】特開２０１４−０１３９７１号公報
【発明の概要】
【発明が解決しようとする課題】
【０００４】
以下、従来技術の筐体の問題点の一例を説明する。特許文献２記載のインクジェットプリンターは、装置前面に操作部（チルトパネル）とカバーを備えている。カバーは、着脱可能な下段側トレイに対し回動可能に設けられ、回動することにより、用紙排出口を開閉する。
【０００５】
特許文献２記載のカバー及び操作部（チルトパネル）は、いずれも閉じた状態で装置前面の中央部を構成し、その両側に位置する装置本体の前面とで、全体として平坦な面（面一の面）を形成して装置前面の外観を構成している。
【０００６】
しかしながら部品精度や組み立て精度に起因して、操作部（チルトパネル）の面が装置本体の前面に対し手前側に出ていたり、或いは奥側に引っ込んでいたりして段差が形成されてしまうと、装置の美観が低下してしまう。これは、下段側トレイに設けられたカバーについても同様である。
この様な問題を回避する為には、外観を構成する各構成部材を高精度に形成することも考えられるが、この場合コストアップを招いてしまう。
【０００７】
次に、特許文献３記載のインクジェットプリンターは、装置本体の上部に画像読取装置を備えている。画像読取装置は開閉可能に設けられており、開くことにより装置内部が露呈し、装置内部のメンテナンス（例えばインクカートリッジの交換）が行える様になっている。
特許文献３記載のインクジェットプリンターは、装置側面が画像読取装置の下縁と装置本体の上縁とによって水平な分割ラインが形成されている。
【０００８】
上記の様に画像読取装置の下縁と装置本体の上縁とによって装置側面に分割ラインが形成される構成の場合、部品精度に起因して画像読取装置の下縁と装置本体の上縁との間に隙間が形成され、美観が低下するのみならず、その隙間から塵埃が内部に侵入する虞がある。そしてこの様な問題を回避する為に筐体を高精度に形成すると、コストアップを招いてしまう。
【０００９】
そこで本発明はこの様な問題に鑑み成されたものであり、その目的は、装置外観を構成する部材のコストアップを抑制することにある。
【課題を解決するための手段】
【００１０】
上記課題を解決する為の、本発明の第１の態様に係る記録装置は、被記録媒体に記録を行う記録手段を備える記録機構部と、前記記録機構部の上部において前記記録機構部に対し回動することにより前記記録機構部の上部を開閉する、原稿を読み取る読み取り機構部と、を備え、前記読み取り機構部は、原稿を載置する原稿台を備えた本体部と、前記原稿台を開閉する開閉体と、を備え、前記読み取り機構部が閉じた状態において、少なくとも前記本体部は前記記録機構部の筐体の内側に入り込むことを特徴とする。
【００１１】
本態様によれば、前記読み取り機構部が閉じた状態において、少なくとも前記読み取り機構部の本体部は前記記録機構部の筐体の内側に入り込む構成である為、前記読み取り機構部の下縁及び前記記録機構部の筐体の上縁について部品精度が低下しても、それが外観上目立ち難くなるとともに、装置内部（記録機構部の内部）への塵埃等の侵入も抑制でき、ひいては筐体のコストアップを抑えることができる。
【００１２】
本発明の第２の態様は、第１の態様において、前記筐体の側面には切り欠き部が形成され、前記切り欠き部を介して前記本体部の側面の一部が露呈することを特徴とする。
本態様によれば、前記筐体の側面には切り欠き部が形成され、前記切り欠き部を介して前記本体部の側面の一部が露呈するので、前記読み取り機構部（本体部）を開く際に前記本体部の側面に指を掛けることができ、操作性が向上する。
【００１３】
本発明の第３の態様は、第２の態様において、前記切り欠き部を介して露呈する前記本体部の側面の一部は凹状に形成されていることを特徴とする。
本態様によれば、前記切り欠き部を介して露呈する前記本体部の側面の一部は凹状に形成されているので、前記本体部の側面により一層指を掛け易くなり、操作性が向上する。
【００１４】
本発明の第４の態様は、第２のまたは第３の態様において、前記読み取り機構部の回動軸は、装置背面寄りに設けられ、前記切り欠き部は、前記記録機構部の両側面において、装置前面寄りに形成されていることを特徴とする。
本態様によれば、前記切り欠き部は、前記記録機構部の両側面において、装置前面寄りに形成されているので、前記読み取り機構部（本体部）を開く際により小さい力で開くことができる。
【００１５】
本発明の第５の態様は、被記録媒体に記録を行う記録手段と、装置前面側に設けられた、チルト可能な操作部と、を備え、前記操作部は、装置の横幅に相当する幅を有することを特徴とする。
【００１６】
本態様によれば、前記操作部は、装置の横幅に相当する幅を有するので、部品精度を向上させることなく、前記操作部を閉じた状態で当該操作部の左右に段差が形成される問題を回避でき、ひいてはコストアップを抑制できる。
【００１７】
本発明の第６の態様は、第５の態様において、装置前面側にインターフェース部を備え、前記操作部を閉じることにより前記操作部が前記インターフェース部を覆い、前記操作部を開くことにより前記インターフェース部が露呈することを特徴とする。
【００１８】
本態様によれば、装置前面側に、記憶媒体を挿入するインターフェース部を備え、前記操作部を閉じることにより前記操作部が前記インターフェース部を覆い、前記操作部を開くことにより前記インターフェース部が露呈する構成を備えるので、前記インターフェース部を開閉する為の専用のカバーを設ける必要がなく、低コスト化を図ることができる。
【００１９】
本発明の第７の態様は、被記録媒体に記録を行う記録手段と、装置前面側から引き出し可能な、被記録媒体を収容するカセットと、を備え、前記カセットは、装置前面の少なくとも一部を開閉する前面カバーを備え、前記前面カバーは、装置の横幅に相当する幅を有することを特徴とする。
【００２０】
本態様によれば、前記カセットは、装置前面の少なくとも一部を開閉する前面カバーを備え、前記前面カバーは、装置の横幅に相当する幅を有するので、部品精度を向上させることなく、前記前面カバーを閉じた状態で当該前面カバーの左右に段差が形成される問題を回避でき、ひいてはコストアップを抑制できる。
【００２１】
本発明の第８の態様は、第７の態様において、装置上部の背面側に、被記録媒体をセットするセット口と、前記セット口を覆う上面カバーと、を備え、前記上面カバーは、装置の横幅に相当する幅を有することを特徴とする。
【００２２】
本態様によれば、装置上部の背面側に、被記録媒体をセットするセット口と、前記セット口を覆う上面カバーと、を備え、前記上面カバーは、装置の横幅に相当する幅を有するので、前記上面カバーを閉じた状態で当該上面カバーの左右に段差が形成される問題を回避でき、ひいてはコストアップを抑制できる。
【００２３】
本発明の第９の態様は、第８の態様において、装置上部に、原稿を読み取る読み取り機構部を備え、前記読み取り機構部は、原稿を載置する原稿台を開閉する原稿台カバーを備え、前記原稿台カバーの上面と前記上面カバーの上面とが面一に形成されることを特徴とする。
【００２４】
本態様によれば、前記原稿台カバーの上面と前記上面カバーの上面とが面一に形成されるので、装置の美観を向上させることができる。
【００２５】
本発明の第１０の態様は、第７から第９の態様のいずれかにおいて、装置前面側にインターフェース部を備え、前記前面カバーを閉じることにより前記前面カバーが前記インターフェース部を覆い、前記前面カバーを開くことにより前記インターフェース部が露呈することを特徴とする。
【００２６】
本態様によれば、装置前面側にインターフェース部を備え、前記前面カバーを閉じることにより前記前面カバーが前記インターフェース部を覆い、前記前面カバーを開くことにより前記インターフェース部が露呈する構成を備えるので、前記インターフェース部を開閉する為の専用のカバーを設ける必要がなく、低コスト化を図ることができる。
【図面の簡単な説明】
【００２７】
【図１】本発明に係るプリンターの外観斜視図。
【図２】本発明に係るプリンターにおける記録動作状態を示す外観斜視図。
【図３】本発明に係るプリンターにおける媒体搬送経路を示す側断面図。
【図４】本発明に係るプリンターにおいて原稿台に対して原稿台カバーを回動させた状態を示す斜視図。
【図５】本発明に係るプリンターにおいてスキャナ部を回動させた状態を示す斜視図。
【図６】本発明に係るスキャナ部の本体部を示す斜視図。
【図７】本発明に係るプリンターにおいてカセットを記録機構部から引き出した状態を示す斜視図。
【図８】カセットに収納されているトレイを引き出した状態を示す斜視図。
【図９】本発明に係るプリンターを背面側から見た斜視図。
【図１０】本発明に係るプリンターにおいてユニット体のロック解除レバーを露出させた状態を示す斜視図。
【図１１】記録機構部からユニット体を取り外した状態を示す斜視図。
【図１２】記録機構部、スキャナ部及び上面カバーの分解斜視図。
【図１３】記録機構部及びカセットの分解斜視図。
【図１４】記録機構部及び操作部の分解斜視図。
【図１５】記録機構部から外装部材を取り外した状態を示す分解斜視図。
【図１６】記録機構部から上部カバー部材を取り外した状態を示す分解斜視図。
【図１７】プリンターの装置高さ方向における高さ寸法を変更した変更例を示す外観斜視図。
【図１８】プリンターの上部を原稿台カバーのみで覆った変更例を示す外観斜視図。
【発明を実施するための形態】
【００２８】
以下、本発明の実施の形態を図面に基づいて説明する。尚、各実施例において同一の構成については、同一の符号を付し、最初の実施例においてのみ説明し、以後の実施例においてはその構成の説明を省略する。
【００２９】
図１は本発明に係るプリンターの外観斜視図であり、図２は本発明に係るプリンターにおける記録動作状態を示す外観斜視図であり、図３は本発明に係るプリンターにおける媒体搬送経路を示す側断面図であり、図４は本発明に係るプリンターにおいて原稿台に対して原稿台カバーを回動させた状態を示す斜視図であり、図５は本発明に係るプリンターにおいてスキャナ部を回動させた状態を示す斜視図であり、図６は本発明に係るスキャナ部の本体部を示す斜視図であり、図７は本発明に係るプリンターにおいてカセットを記録機構部から引き出した状態を示す斜視図である。
【００３０】
また、図８はカセットに収納されているトレイを引き出した状態を示す斜視図であり、図９は本発明に係るプリンターを背面側から見た斜視図であり、図１０は本発明に係るプリンターにおいてユニット体のロック解除レバーを露出させた状態を示す斜視図であり、図１１は記録機構部からユニット体を取り外した状態を示す斜視図であり、図１２は記録機構部、スキャナ部及び上面カバーの分解斜視図である。
【００３１】
また、図１３は記録機構部及びカセットの分解斜視図であり、図１４は記録機構部及び操作部の分解斜視図であり、図１５は記録機構部から外装部材を取り外した状態を示す分解斜視図であり、図１６は記録機構部から上部カバー部材を取り外した状態を示す分解斜視図であり、図１７はプリンターの装置高さ方向における高さ寸法を変更した変更例を示す外観斜視図であり、図１８はプリンターの上部を原稿台カバーのみで覆った変更例を示す外観斜視図である。
【００３２】
また、各図において示すＸ−Ｙ−Ｚ座標系はＸ方向がキャリッジの主走査方向（移動方向）、すなわち記録装置の幅方向、Ｙ方向が記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００３３】
■■■実施例■■■■
＜＜＜プリンターの概要＞＞＞
図１を参照するに、プリンター１０は、記録機構部１２と、記録機構部１２の上部に設けられた、「読み取り機構部」としてのスキャナ部１４とを備えている。記録機構部１２の装置前面側には操作部１６が記録機構部１２に対して回動（チルト）可能に設けられている。より具体的には、操作部１６は記録機構部１２に対して閉じた姿勢（図１参照）と、記録機構部１２に対して装置前面側に回動した姿勢（図２参照）とを切換え可能に構成されている。操作部１６には表示パネル等の表示手段１８が設けられている。
【００３４】
記録機構部１２の装置前面側において操作部１６の下方には前面カバー２０が配置されている。また、記録機構部１２には排紙トレイ２２が設けられている。排紙トレイ２２は、記録機構部１２内に収容された状態（図１参照）と記録機構部１２の装置前面側に展開した状態（図２参照）とを切換え可能に構成されている。
【００３５】
また、記録機構部１２の背面側の上部には上面カバー２４が回動可能に取り付けられている。上面カバー２４は、図１に示す記録機構部１２に対して閉じた状態と、図２に示す記録機構部１２に対して開いた状態とを切換え可能に構成されている。上面カバー２４を記録機構部１２に対して開いた状態とすると、記録機構部１２の上部背面側に被記録媒体をセットするセット口２６が露出する。そして、矢印Ａの向きに被記録媒体をセット口２６に差し入れることができ、差し入れられた媒体は、図３に示す傾斜した媒体案内経路２８に案内されて、搬送方向下流側に送られる。
【００３６】
また、本実施例において、上面カバー２４は、図１に示すように記録機構部１２の横幅、すなわち装置幅方向における記録機構部１２の幅寸法に相当する幅を有している。すなわち、上面カバー２４が記録機構部１２に対して閉じた状態では、記録機構部１２の上面の一部、本実施例の場合、装置奥行き方向において背面側の上面を構成する。
【００３７】
＜＜＜スキャナ部について＞＞＞
また、図３及び図４に示すように記録機構部１２の上部にはスキャナ部１４が設けられている。スキャナ部１４は、本体部３０（図６参照）と、本体部３０の上部に設けられた原稿台３２（図６参照）と、「開閉体」としての原稿台カバー３４とを備えている。原稿台３２は、一例として透明なガラス板で形成され、その上面に原稿を載置可能に構成されている。
【００３８】
また、原稿台カバー３４は本体部３０に対して回動可能に連結されている。すなわち、原稿台カバー３４は、回動することにより原稿台３２を開閉する。原稿台カバー３４は、閉じた状態（図１及び図２参照）では、原稿台３２を覆っており、開いた状態（図４参照）では原稿台３２を露出させる。尚、本実施例において原稿台カバー３４は、原稿台カバー３４が原稿台３２に対して閉じた姿勢を取ると、プリンター１０において装置奥行き方向前面側の上面を構成する。
【００３９】
そして、原稿台３２に対して原稿台カバー３４を回動させて開いた状態とし、原稿台３２を露出させ、その上面に原稿をセットし、原稿台カバー３４を閉じることで、原稿台３２において原稿の読み取りが可能となる。尚、原稿台３２の下方、すなわち本体部３０内には原稿台３２にセットされた原稿を読み取り可能な読み取り手段（不図示）が設けられている。
【００４０】
また、本実施例において、スキャナ部１４には、本体部３０の装置奥行き方向背面側寄りに回動軸３６（図１２参照）が設けられている。そして、スキャナ部１４は、回動軸３６を介して回動可能に記録機構部１２に連結されている。スキャナ部１４は、記録機構部１２に対して閉じた姿勢（図１及び図２参照）と、記録機構部１２に対して回動し、開いた姿勢（図５参照）とを切換え可能に構成されている。
【００４１】
また、図５を参照するに、スキャナ部１４の本体部３０において、装置奥行き方向前面側かつ装置幅方向両端部には、それぞれ凹状部３０ａが設けられている。本実施例において凹状部３０ａは、スキャナ部１４を記録機構部１２に対して回動させる際、ユーザーの指を凹状部３０ａに掛けてスキャナ部１４を引き上げる大きさに形成されている。
【００４２】
また、本実施例において本体部３０は、図６に示すように上部ケース３０ｂと下部ケース３０ｃとを備えている。そして、凹状部３０ａは上部ケース３０ｂに設けられている。本実施例では、図４に示すように、原稿台カバー３４を原稿台３２に対して開いた状態とすると、原稿台３２とともに上部ケース３０ｂが露呈する。本実施例において下部ケース３０ｃは、後述する記録機構部１２の筐体７８に覆われている。
【００４３】
ここで、プリンター１０では、一例として上面カバー２４、原稿台カバー３４、側面側外装部材７６Ａ、７６Ｂ及び上部ケース３０ｂの色を変えることによりバリエーション展開が行われる場合がある。
【００４４】
図４を参照するに、本実施例において凹状部３０ａは、側面側外装部材７６Ａ、７６Ｂに設けられた切り欠き部８６から露呈するように構成されている。そして、凹状部３０ａの色と側面側外装部材７６Ａ、７６Ｂの色とが異なる色であると、装置外観の統一感が損なわれる。本実施例では、上部ケース３０ｂに凹状部３０ａを設ける構成としたので、凹状部３０ａの色も側面側外装部材７６Ａ、７６Ｂの色と同じ色に容易にすることができる。その結果、プリンター１０の外観に統一感を持たすことができる。
【００４５】
また、本実施例では、プリンター１０において記録機構部１２の側面側外装部材７６Ａ、７６Ｂ及び上部ケース３０ｂの色を変えることによりバリエーション展開しても、下部ケース３０ｃの色を変更することがなく、部材を共通化できる。
【００４６】
＜＜＜媒体搬送経路について＞＞＞
次いで、図３を参照して記録機構部１２における被記録媒体の媒体搬送経路３８について説明する。図３において符号Ｐが付された太い実線は、カセット４０から排紙トレイ２２までの媒体搬送経路３８に沿って搬送される媒体の案内経路を示している。
【００４７】
記録機構部１２の下部には、被記録媒体を収容するカセット４０が設けられている。カセット４０は、箱状に形成され、その内部に被記録媒体が収容可能である。さらに、記録機構部１２内には、媒体搬送経路３８に沿ってピックアップローラー４２、反転ローラー４４、従動ローラー４６ａ、４６ｂ、４６ｃ、搬送ローラー対４８、記録部５０及び排出ローラー対５２の順に設けられている。ピックアップローラー４２は、回動軸５３を支点に回動可能に、カセット４０の上方に配置されている。そして、ピックアップローラー４２によりカセット４０から給送された被記録媒体は、反転ローラー４４と従動ローラー４６ａ、４６ｂとにニップされて、搬送ローラー対４８に搬送される。
【００４８】
搬送ローラー対４８は被記録媒体を記録部５０に搬送する。本実施例において記録部５０は、キャリッジ５４と、「記録手段」としての記録ヘッド５６と、媒体案内部材５８とを備えている。本実施例においてキャリッジ５４は、装置幅方向に往復動可能に構成されている。そして、キャリッジ５４の下部には、記録ヘッド５６が設けられている。本実施例において記録ヘッド５６は装置高さ方向下方側に向けてインクを吐出するように構成されている。
【００４９】
また、記録ヘッド５６の下方において、記録ヘッド５６と対向する領域に媒体案内部材５８が設けられている。媒体案内部材５８は、記録ヘッド５６と対向し、記録ヘッド５６と間隔をおいて配置されている。媒体案内部材５８は、搬送ローラー対４８により記録ヘッド５６と対向する領域に搬送されてきた被記録媒体の下面（記録面と反対側の面）を支持する。そして、記録ヘッド５６は、媒体案内部材５８により支持された被記録媒体に対してインクを吐出し、被記録媒体の記録面に記録を実行する。
【００５０】
そして、記録が実行された被記録媒体は、記録部５０の搬送方向下流側に設けられた排出ローラー対５２にニップされて、装置前面側に突出している排紙トレイ２２に向けて排紙される。
【００５１】
また、上面カバー２４を開いて、プリンター１０の上方からセット口２６に差し入れられた被記録媒体は、媒体案内経路２８に案内されて記録部５０に搬送され、記録部５０において記録が行われる。そして、記録が行われた後、排紙トレイ２２に排出される。
【００５２】
また、記録部５０において被記録媒体の第１面（記録面）に記録が実行された後、第１面と反対の側の第２面（下面）に記録を行う場合、搬送ローラー対４８を逆転させて、被記録媒体を搬送方向上流側に搬送する。搬送方向上流側に搬送される被記録媒体は、反転ローラー４４と従動ローラー４６ｃとにニップされる。そして、被記録媒体は反転ローラー４４により、第１面と第２面とを反転させられて、再度記録部５０に搬送され、記録部５０において第２面の記録が実行された後、排紙トレイ２２に向けて排出される。
【００５３】
＜＜＜カセットについて＞＞＞
図１、図７及び図８を参照するに、カセット４０は記録機構部１２の下部において、記録機構部１２に着脱可能に設けられている。カセット４０の装置奥行き方向前面側には、前面カバー２０がカセット４０に対して回動可能に取り付けられている。
【００５４】
本実施例において、カセット４０は、カセット４０の下部にトレイ６０（図８参照）を収容可能に構成されている。トレイ６０は、カセット４０が記録機構部１２の装置奥行き方向前面側に引き出された状態においてカセット４０の側部４０ａから装置幅方向に沿って引き出すことが可能に構成されている。トレイ６０は、円盤状の光学メディアがセット可能に構成されている。そして、プリンター１０の装置奥行き方向前面側から記録部５０に向けてトレイ６０を差し込むことにより、円盤状の光学メディアの表面に文字や画像等の記録が行える。
【００５５】
また、本実施例において前面カバー２０は、図１及び図５に示すように記録機構部１２の横幅に相当する幅を有している。すなわち、カセット４０が記録機構部１２に取り付けられた状態において前面カバー２０をカセット４０に対して閉じると、記録機構部１２の装置前面の一部、本実施例の場合、装置前面の下部を構成する。
【００５６】
また、本実施例において、カセット４０が記録機構部１２に取り付けられた状態において前面カバー２０をカセット４０に対して開くと、装置幅方向左側端部に設けられたインターフェース部６３（図７及び図８参照）が露呈する。本実施例では、一例としてインターフェース部６３は赤外線通信用窓（ポート）６２と外部機器接続口６４とを備えて構成されている。そして、前面カバー２０が開くと、赤外線通信用窓６２は通信可能状態となる。また、実施例において外部機器接続口６４は、一例としてＵＳＢ端子の接続ポートとして構成されている。そして、前面カバー２０が開くと、外部機器接続口６４にはＵＳＢ端子が接続可能となる。
【００５７】
また、カセット４０が記録機構部１２に取り付けられた状態において前面カバー２０をカセット４０に対して閉じると、赤外線通信用窓６２及び外部機器接続口６４が前面カバー２０に覆われる。すなわち、本実施例では、赤外線通信用窓６２及び外部機器接続口６４のためのカバーを別途設ける必要がないので、部品点数を削減でき、コストダウンを図れる。また、本実施例では、装置前面の下部を単一の前面カバー２０で構成したので、装置前面側に段差や繋ぎ目が形成されず、装置の美観を向上させることができる。
【００５８】
＜＜＜操作部について＞＞＞
操作部１６は、記録機構部１２の装置奥行き方向前面側に記録機構部１２に対して回動可能に取り付けられている。本実施例において操作部１６は、図１及び図５に示すように記録機構部１２の横幅に相当する幅を有している。すなわち、操作部１６が記録機構部１２に対して閉じた姿勢を取ると、記録機構部１２の装置前面の一部、本実施例の場合、装置前面の上部を構成する。
【００５９】
また、図２を参照するに、操作部１６が記録機構部１２に対して開いた姿勢を取ると、装置幅方向左側端部に設けられたインターフェース部６６が露呈する。本実施例において、インターフェース部６６は、一例としてカード状の記憶媒体を挿入可能なスロットとして構成されている。但し、インターフェース部６６を、記憶媒体を挿入可能なスロットのみで構成するのではなく、例えば赤外線通信用ポート（窓）や、外部機器との接続インターフェース（接続口：例えばＵＳＢなど）を含めて構成しても良いし、或いはこれらのいずれか一つ或いは二以上の組み合わせで構成しても良い。
これは、後述するプリンター９４（図１７参照）やプリンター１００（図１８参照）でも同様である。
【００６０】
操作部１６を記録機構部１２に対して開いた姿勢から閉じた姿勢に変化させると、インターフェース部６６は操作部１６に覆われて、記録機構部１２の装置奥行き方向前面側からは隠された状態となる。
【００６１】
本実施例において、操作部１６は記録機構部１２の横幅に相当する幅を有している。すなわち、記録機構部１２の装置前面上部を複数の部品で構成していないので、複数の部品間で形成される段差を解消すべく、操作部１６の部品精度を向上させる必要がない。また、操作部１６を記録機構部１２に対して閉じた際、操作部１６の装置幅方向両端部に段差が形成されないので、装置の美観を向上させることができる。
【００６２】
＜＜＜ユニット体について＞＞＞
図９ないし図１１を参照するに、記録機構部１２の背面側には、記録機構部１２に対して着脱可能なユニット体６８が取り付けられている。本実施例において、ユニット体６８は、反転ローラー４４、従動ローラー４６ｂ、４６ｃを備えている。そして、ユニット体６８は、記録機構部１２に取り付けられた状態において、媒体搬送経路３８の一部を構成している。
【００６３】
図９を参照するに、ユニット体６８は、記録機構部１２の背面側に取り付けられた状態においてユニット体６８の背面６８ａは、記録機構部１２の背面の少なくとも一部を構成している。ユニット体６８の背面６８ａにはカバー部材７０が着脱可能に取り付けられている。カバー部材７０を背面６８ａから取り外すと、図１０に示すように一対のロック解除レバー７２が露出する。
【００６４】
本実施例において、記録機構部１２にユニット体６８が装着された状態において一対のロック解除レバー７２を相寄る方向、すなわち装置幅方向における中心方向に向けて押圧すると、記録機構部１２に対するユニット体６８のロック状態が解除され、図１１に示すように記録機構部１２からユニット体６８の取り外しが可能となる。そして、記録機構部１２からユニット体６８を取り外すと、媒体搬送経路３８の一部が露呈し、媒体搬送経路３８における紙詰まりの処理が容易となる。
【００６５】
＜＜＜記録機構部の構成について＞＞＞
次いで図１２ないし図１６を参照して記録機構部１２の構成について説明する。図１２を参照するに、本実施例において記録機構部１２の上部には、スキャナ部１４と上面カバー２４とが設けられている。そして、本実施例では、図１及び図９に示すように、プリンター１０の上面をスキャナ部１４の原稿台カバー３４及び上面カバー２４により構成している。
【００６６】
本実施例では、原稿台カバー３４及び上面カバー２４が閉じた状態において、原稿台カバー３４の上面と上面カバー２４の上面とが面一となるように、すなわち段差が生じないように配置されている。その結果、プリンター１０の上面に凹凸を生じさせることを抑制できるので、装置の美観を向上させることができる。
【００６７】
また、図１３ないし図１５を参照するに、記録機構部１２から操作部１６及びカセット４０を取り外すと、前面側外装部材７４Ａ、７４Ｂが露呈する。本実施例において、前面側外装部材７４Ａは、記録機構部１２の装置奥行き方向前面側において装置幅方向左側端部に取り付けられている。そして図１４に示すように、前面側外装部材７４Ａには赤外線通信用窓６２、外部機器接続口６４及びインターフェース部６６が設けられている。また、前面側外装部材７４Ｂは、記録機構部１２の装置奥行き方向前面側において装置幅方向右側端部に取り付けられている。
【００６８】
また、記録機構部１２の装置幅方向両側面には、側面側外装部材７６Ａ、７６Ｂが設けられている。本実施例において、前面側外装部材７４Ａ、７４Ｂ及び側面側外装部材７６Ａ、７６Ｂは、記録機構部１２に取り付けられ、記録機構部１２の外観を構成する筐体７８として機能する。
【００６９】
本実施例において、側面側外装部材７６Ａ、７６Ｂは、それぞれ記録機構部１２の装置幅方向右側面、左側面を覆うカバー部材として形成されている。具体的には、側面側外装部材７６Ａ、７６Ｂは、記録機構部１２において装置奥行き方向前面側から装置奥行き方向背面側まで延び、背面側において装置幅方向において内側に湾曲している。
【００７０】
側面側外装部材７６Ａにおいて装置奥行き方向背面側の湾曲部分には、開口８０、８２が設けられている。開口８０、８２は、外部機器とプリンター１０との接続口として機能する。本実施例では、一例として開口８０にはＬＡＮケーブルの接続コネクタが設けられ、開口８２にはＵＳＢケーブルの接続コネクタが設けられている。
【００７１】
側面側外装部材７６Ｂにおいて装置奥行き方向背面側の湾曲部分には、開口８４が設けられている。開口８４には、プリンター１０に外部電源から電力を供給する電源プラグを接続する電源コネクタが設けられている。
【００７２】
また、側面側外装部材７６Ａ、７６Ｂの上端部には切り欠き部８６がそれぞれ設けられている。本実施例において、切り欠き部８６は、側面側外装部材７６Ａ、７６Ｂにおいて装置奥行き方向前面寄りに設けられている。
【００７３】
本実施例において、側面側外装部材７６Ａ、７６Ｂにおける切り欠き部８６は、図１及び図２を参照するに、スキャナ部１４が記録機構部１２に対して閉じた状態において、スキャナ部１４の本体部３０の一部を露呈させる。そして、本実施例では、本体部３０の露呈する部分には凹状部３０ａが形成されている。つまり、スキャナ部１４が記録機構部１２に対して閉じた状態において、凹状部３０ａは、切り欠き部８６を介して露呈しており、ユーザーの指が掛けられるように構成されている。
【００７４】
そして、本実施例では、スキャナ部１４を回動させる際、スキャナ部１４の回動軸３６（図１２参照）に対して装置奥行き方向前面側に離れた位置でユーザーが凹状部３０ａに指を掛けてスキャナ部１４を引き上げるので、より小さい力でスキャナ部１４を回動させることができる。
【００７５】
また、図１及び図５を参照するに、スキャナ部１４が記録機構部１２に対して閉じた状態の際、スキャナ部１４において少なくとも本体部３０は、前面側外装部材７４Ａ、７４Ｂ及び側面側外装部材７６Ａ、７６Ｂが成す筐体７８の内側に入り込む構成となっている。
【００７６】
また、側面側外装部材７６Ａ、７６Ｂの装置前面側端部には凹状部８８が設けられている。本実施例において、凹状部８８は装置高さ方向において操作部１６と前面カバー２０との境目に設けられている。そして、操作部１６及び前面カバー２０が閉じた状態において凹状部８８に指を掛けて操作部１６及び前面カバー２０を押圧すると、容易に操作部１６及び前面カバー２０を開くことができる。
【００７７】
本実施例において、側面側外装部材７６Ａ、７６Ｂは、記録機構部１２の右側面及び左側面を一部品で覆っているので、複数の部品で覆う場合と異なり、分割ラインが無くなり、記録機構部１２の側面、ひいては装置の美観を向上させることができる。
【００７８】
図１６を参照するに、記録機構部１２において、スキャナ部１４が閉じた状態（図１参照）において本体部３０の下部と対向する部分に前面側上部カバー９０と、背面側上部カバー９２とが取り付けられている。
【００７９】
本実施例において、図３及び図５を参照するに、記録機構部１２における前面側上部カバー９０の上面と、背面側上部カバー９２の上面とは装置高さ方向において略同じ高さとなるように設定されている。すなわち、前面側上部カバー９０の上面と、背面側上部カバー９２の上面とは、面一となるように設定されている。これにより、スキャナ部１４を記録機構部１２に対して回動させて、記録機構部１２の内部が露呈した際、記録機構部１２の内側における凹凸を少なく見せることができ、装置の美観を向上させることができる。
【００８０】
＜＜＜実施例の変更例＞＞＞
（１）本実施例において、プリンター１０は、記録機構部１２の上部にスキャナ部１４を設ける構成としたが、この構成に代えて、スキャナ部１４を設けない構成、すなわちプリンター機能のみの構成としてもよい。
（２）また、プリンター１０において装置高さ方向の寸法を変更してもよい。図１７は、装置高さ方向の寸法を大きくしたプリンター９４を示している。本実施例では、前面カバー９６及び側面側外装部材９８の装置高さ方向における寸法を前面カバー２０及び側面側外装部材７６Ａ、７６Ｂの装置高さ方向における寸法よりも大きくすることでプリンター９４の筐体７８の装置高さ方向の寸法を変更できる。つまり、前面カバー２０及び側面側外装部材７６Ａ、７６Ｂを交換するだけで、プリンター９４の筐体７８の装置高さ方向の寸法変更が可能である。この様な寸法変更は、例えば用紙を収容するカセット４０の用紙収容可能枚数を増やす様な設計変更の際に適用できる。
（３）本実施例において、プリンター１０の上部に上面カバー２４及び原稿台カバー３４をプリンター１０に対して回動可能に取り付けた構成としたが、この構成に代えて、図１８に示すようにプリンター１００の上部を原稿台カバー３４のみで覆う構成としてもよい。
（４）本実施例において、図１及び図２に示すように前面カバー２０が、前面側外装部材７４Ａの下部に設けられたインターフェース部６３を覆う構成とし、そしてインターフェース部６３は上記実施例では赤外線通信用窓６２及び外部機器接続口６４で構成されている。但しこれは一実施例であり、インターフェース部６３を、一例としてカード状の記憶媒体を挿入可能なスロットで構成しても良いし、或いは当該スロット、赤外線通信用ポート（窓）、外部機器との接続インターフェース（接続口：例えばＵＳＢなど）、などのいずれか一つ或いは二以上を組み合わせて構成しても良い。
これは、プリンター９４（図１７参照）やプリンター１００（図１８参照）でも同様である。
【００８１】
上記説明をまとめると、プリンター１０、９４、１００は、被記録媒体に記録を行う記録ヘッド５６を備える記録機構部１２と、記録機構部１２の上部において記録機構部１２に対し回動することにより記録機構部１２の上部を開閉する、原稿を読み取るスキャナ部１４と、を備え、スキャナ部１４は、原稿を載置する原稿台３２を備えた本体部３０と、原稿台３２を開閉する原稿台カバー３４と、を備え、スキャナ部１４が閉じた状態において、少なくとも本体部３０は記録機構部１２の筐体７８の内側に入り込む。
【００８２】
上記構成によれば、スキャナ部１４が閉じた状態において、少なくともスキャナ部１４の本体部３０は記録機構部１２の筐体７８の内側に入り込む構成である為、スキャナ部１４の下縁及び記録機構部１２の筐体７８の上縁について部品精度が低下しても、それが外観上目立ち難くなるとともに、プリンター１０、９４、１００の内部（記録機構部の内部）への塵埃等の侵入も抑制でき、ひいては筐体７８のコストアップを抑えることができる。
【００８３】
筐体７８の側面を構成する側面側外装部材７６Ａ、７６Ｂには切り欠き部８６が形成され、切り欠き部８６を介して本体部３０の側面の一部が露呈する。この構成によれば、スキャナ部１４（本体部３０）を開く際に本体部３０の側面に指を掛けることができ、操作性が向上する。
【００８４】
切り欠き部８６を介して露呈する本体部３０の側面の一部は凹状部３０ａに形成されている。この構成によれば、本体部３０の側面により一層指を掛け易くなり、操作性が向上する。
【００８５】
スキャナ部１４の回動軸３６は、装置背面寄りに設けられ、切り欠き部８６は、記録機構部１２の両側面において、装置前面寄りに形成されている。この構成によれば、スキャナ部１４（本体部３０）を開く際により小さい力で開くことができる。
【００８６】
プリンター１０、９４、１００は、被記録媒体に記録を行う記録ヘッド５６と、プリンター１０、９４、１００の装置前面側に設けられた、チルト可能な操作部１６と、を備え、操作部１６は、プリンター１０、９４、１００の装置の横幅に相当する幅を有する。
【００８７】
上記構成によれば、操作部１６は、プリンター１０、９４、１００の装置幅方向における横幅に相当する幅を有するので、部品精度を向上させることなく、操作部１６を閉じた状態で当該操作部１６の左右に段差が形成される問題を回避でき、ひいてはコストアップを抑制できる。
【００８８】
プリンター１０、９４、１００は、装置前面側に、記憶媒体を挿入するインターフェース部６６を備え、操作部１６を閉じることにより操作部１６がインターフェース部６６を覆い、操作部１６を開くことによりインターフェース部６６が露呈する。この構成によれば、インターフェース部６６を開閉する為の専用のカバーを設ける必要がなく、低コスト化を図ることができる。
【００８９】
プリンター１０、９４、１００は、被記録媒体に記録を行う記録ヘッド５６と、装置前面側から引き出し可能な、被記録媒体を収容するカセット４０と、を備え、カセット４０は、装置前面の少なくとも一部を開閉する前面カバー２０を備え、前面カバー２０は、装置の横幅に相当する幅を有する。
【００９０】
上記構成によれば、カセット４０は、プリンター１０、９４、１００の前面を開閉する前面カバー２０を備え、前面カバー２０は、プリンター１０、９４、１００の装置幅方向における横幅に相当する幅を有するので、部品精度を向上させることなく、前面カバー２０を閉じた状態で当該前面カバー２０の左右に段差が形成される問題を回避でき、ひいてはコストアップを抑制できる。
【００９１】
プリンター１０、９４、１００は、装置上部の背面側に被記録媒体をセットするセット口２６と、セット口２６を覆う上面カバー２４と、を備え、上面カバー２４は、プリンター１０、９４、１００の装置幅方向における横幅に相当する幅を有する。この構成によれば、上面カバー２４を閉じた状態で当該上面カバー２４の左右に段差が形成される問題を回避でき、ひいてはコストアップを抑制できる。
【００９２】
プリンター１０、９４、１００は、装置上部に、原稿を読み取るスキャナ部１４を備えている。スキャナ部１４は、原稿を載置する原稿台３２を開閉する原稿台カバー３４を備え、原稿台カバー３４の上面と上面カバー２４の上面とが面一に形成される。この構成によれば、装置の美観を向上させることができる。
【００９３】
プリンター１０、９４、１００は、装置前面側にインターフェース部６３を備えている。前面カバー２０を閉じることにより前面カバー２０がインターフェース部６３を覆い、前面カバー２０を開くことによりインターフェース部６３が露呈する。この構成によれば、インターフェース部６３を開閉する為の専用のカバーを設ける必要がなく、低コスト化を図ることができる。
【００９４】
また、本実施形態では本発明に係る筐体７８を記録装置の一例としてのインクジェットプリンターに適用したが、その他液体噴射装置一般に適用することも可能である。
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００９６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９７】
１０、９４、１００…プリンター、１２…記録機構部、１４…スキャナ部、１６…操作部、１８…表示手段、２０、９６…前面カバー、２２…排紙トレイ、２４…上面カバー、２６…セット口、２８…媒体案内経路、３０…本体部、３０ａ、８８…凹状部、３０ｂ…上部ケース、３０ｃ…下部ケース、３２…原稿台、３４…原稿台カバー、３６…回動軸、３８…媒体搬送経路、４０…カセット、４０ａ…側部、４２…ピックアップローラー、４４…反転ローラー、４６ａ、４６ｂ、４６ｃ…従動ローラー、４８…搬送ローラー対、５０…記録部、５２…排出ローラー対、５３…回動軸、５４…キャリッジ、５６…記録ヘッド、５８…媒体案内部材、６０…トレイ、６２…赤外線通信用窓、６３、６６…インターフェース部、６４…外部機器接続口、６８…ユニット体、６８ａ…背面、７０…カバー部材、７２…ロック解除レバー、７４Ａ、７４Ｂ…前面側外装部材、７６Ａ、７６Ｂ、９８…側面側外装部材、７８…筐体、８０、８２、８４…開口、８６…切り欠き部、９０…前面側上部カバー、９２…背面側上部カバー、Ａ…矢印
【図１】
2020175675.tif 000003
【図２】
2020175675.tif 000004
【図３】
2020175675.tif 000005
【図４】
2020175675.tif 000006
【図５】
2020175675.tif 000007
【図６】
2020175675.tif 000008
【図７】
2020175675.tif 000009
【図８】
2020175675.tif 000010
【図９】
2020175675.tif 000011
【図１０】
2020175675.tif 000012
【図１１】
2020175675.tif 000013
【図１２】
2020175675.tif 000014
【図１３】
2020175675.tif 000015
【図１４】
2020175675.tif 000016
【図１５】
2020175675.tif 000017
【図１６】
2020175675.tif 000018
【図１７】
2020175675.tif 000019
【図１８】
2020175675.tif 000020
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
被記録媒体に記録を行う記録手段を備える筐体と、
前記筐体の前面側から引き出し可能に設けられ、被記録媒体を収容するカセットと、を備え、
前記カセットは、前記筐体の前面の少なくとも一部を開閉する前面カバーを備え、
前記前面カバーは、前記筐体の横幅に相当する幅を有する、
ことを特徴とする記録装置。
【請求項２】
請求項１に記載の記録装置において、
前記前面カバーが前記筐体に対して閉じているとき、前記筐体の幅方向において、前記前面カバーの該幅方向の両端部に段差が形成されない
ことを特徴とする記録装置。
【請求項３】
請求項１また請求項２に記載の記録装置において、
前記筐体の前面側に第１インターフェース部を備え、
前記前面カバーを閉じることにより前記前面カバーが前記第１インターフェース部を覆い、前記前面カバーを開くことにより前記第２インターフェース部が露呈する、
ことを特徴とする記録装置。
【請求項４】
請求項１から請求項３の何れか１項に記載の記録装置において、
前記筐体の前面側に設けられ、チルト可能な操作部と、を備え、
前記操作部は、前記筐体の横幅に相当する幅を有する、
ことを特徴とする記録装置。
【請求項５】
請求項４に記載の記録装置において、
前記前面カバーは、前記筐体に対して閉じた状態において前記筐体の前面の下部を覆い、
前記操作部は、前記筐体に対して閉じた状態において、前記筐体の前面の上部を覆う
ことを特徴とする記録装置。
【請求項６】
請求項４または請求項５に記載の記録装置において、
前記操作部が前記筐体に対して閉じているとき、前記筐体の幅方向において、前記操作部の該幅方向の両端部に段差が形成されない
ことを特徴とする記録装置。
【請求項７】
請求項４から請求項６のいずれか１項に記載の記録装置において、
前記筐体の前面側に第２インターフェース部を備え、
前記操作部を閉じることにより前記操作部が前記第２インターフェース部を覆い、前記操作部を開くことにより前記第２インターフェース部が露呈する、
ことを特徴とする記録装置。
【請求項８】
請求項４から請求項７に記載の記録装置において、
前記筐体は、側面部を備え、
前記側面部は、前記前面カバーと前記操作部との境目において凹状部を有する
ことを特徴とする記録装置。
【請求項９】
請求項１から請求項８のいずれか１項に記載の記録装置において、
前記側面部は、装置奥行き方向の装置前面側から装置背面側まで延び、該装置背面側において装置幅方向に湾曲する湾曲部を有する
ことを特徴とする記録装置。
【請求項１０】
請求項９に記載の記録装置において、
前記側面部は、前記湾曲部において開口を備え、
前記開口には、電源接続部が設けられる
ことを特徴とする記録装置。
【請求項１１】
請求項９に記載の記録装置において、
前記側面部は、前記湾曲部において開口を備え、
前記開口には、外部機器と接続する接続部が設けられる
ことを特徴とする記録装置。
【請求項１２】
請求項１から請求項１１のいずれか１項に記載の記録装置において、
前記カセットは、前記カセットの下部にトレイを収容可能である
ことを特徴とする記録装置。
【請求項１３】
請求項１から請求項１２のいずれか１項に記載の記録装置において、
前記筐体の上部の背面側に設けられ、被記録媒体をセットするセット口と、
前記セット口を覆う上面カバーと、を備え、
前記上面カバーは、前記筐体の横幅に相当する幅を有する、
ことを特徴とする記録装置。
【請求項１４】
請求項１３に記載の記録装置において、
前記筐体の上部に設けられ、原稿を読み取る読み取り機構部を備え、
前記読み取り機構部は、原稿を載置する原稿台を開閉する原稿台カバーを備え、
前記原稿台カバーの上面と前記上面カバーの上面とが面一に形成される、
ことを特徴とする記録装置。